(57)【要約】      （修正有）【課題】導波管と、フランジを備えない導波管接合部を有するＭＣＭ（Multi-Chip Module）等の装置との接続を安定かつ確実に行い、測定系を構成する際の位置調整、又は測定中の位置確認等の煩雑さをなくし、測定品質、測定効率等を向上させる。【解決手段】導波管と、フランジを備えない導波管接合部３ａを有する装置３とを接続するための導波管接続治具であって、装置３を挟持して固定する上側固定部及び下側固定部９と、上側固定部を貫通する貫通孔に収容され、導波管の一端に設けられたフランジ部と接合されるフランジ部１２ａを有する上側ブロック１２と、上側固定部２を貫通する貫通孔に収容され、上側ブロック１２の下方において、装置３の導波管接合部３ａと当接する下側ブロック１３とを備え、上側ブロック１２及び上側ブロック１３の内部を導波管構造とした導波管接続治具。【選択図】図３
2006197427.tif 000002
【特許請求の範囲】
【請求項１】
導波管と、フランジを備えない導波管接合部を有する装置とを接続するための導波管接続治具であって、
前記装置を固定する固定部と、
前記導波管と接合される接合部とを備え、
前記固定部によって固定された前記装置の前記導波管接合部と、前記接合部に接合された前記導波管との間に、導波管構造を備えることを特徴とする導波管接続治具。
【請求項２】
導波管と、フランジを備えない導波管接合部を有する装置とを接続するための導波管接続治具であって、
前記装置を挟持して固定する上側固定部及び下側固定部と、
該上側固定部を貫通する貫通孔に収容され、導波管の一端に設けられたフランジ部と接合されるフランジ部を有する上側ブロックと、
前記上側固定部を貫通する前記貫通孔に収容され、前記上側ブロックの下方において、前記装置の前記導波管接合部と当接する下側ブロックとを備え、
前記上側ブロック及び前記上側ブロックの内部を導波管構造としたことを特徴とする導波管接続治具。
【請求項３】
前記下側ブロックを前記装置の前記導波管接合部に付勢する付勢手段を備えることを特徴とする請求項２に記載の導波管接続治具。
【請求項４】
前記付勢手段は、前記下側ブロックに巻回されるとともに、一端が前記上側固定部に固定された圧縮コイルばねであることを特徴とする請求項３に記載の導波管接続治具。
【請求項５】
前記上側ブロックと前記下側ブロックとをビスを介して互いに締結したことを特徴とする請求項２、３又は４に記載の導波管接続治具。
【請求項６】
前記装置は、ＭＣＭ（Multi-Chip Module）であることを特徴とする請求項１乃至５のいずれかに記載の導波管接続治具。
【発明の詳細な説明】
【技術分野】
【０００１】
本発明は、導波管接続治具に関し、特に、導波管接合部を有する装置、機能モジュール等に導波管を接続するために用いられる導波管接続治具に関する。
【背景技術】
【０００２】
従来、フランジを備えない導波管接続部を有する機能モジュール等を評価、検査する際には、例えば、図４に示すように、上側固定部３２と、締結金具３５と、下側固定部３７とを備えた専用の固定治具で固定したＭＣＭ（Multi-Chip Module）の接合部に、プローブ導波管３１を密着させ、測定装置に接続して測定をしていた。このプローブ導波管３１は、ＭＣＭ３３への密着を容易にするため、ＭＣＭ３３との接合側のフランジを削除したベンド導波管である。
【０００３】
また、上側固定部３２は、上方向からＭＣＭ３３を押圧するように構成され、側面には、上側固定部３２及び下側固定部３７を締結するための締結金具３５が設けられている。尚、プローブ導波管３１をＭＣＭ３３に密着させるため、両者の接合部付近は、接続用空間３４として切り欠かれ、図５に示すように、測定時は、プローブ導波管３１をＭＣＭ接合部３６に密着させて測定装置と接続していた。
【発明の開示】
【発明が解決しようとする課題】
【０００４】
しかし、上記従来の導波管接続治具においては、プローブ導波管３１とＭＣＭ接合部３６との間に隙間ができ易く、電波が漏れて損失が生じてしまうという問題があった。そこで、測定の度に隙間ができないようにするため、ＸＹＺ方向に移動可能な調整台等で前後、左右、上下の位置合わせを行わなければならず、また、測定中は、プローブ導波管３１とＭＣＭ接合部３６の密着状態を常に気にしながら測定を続けなければならないため、煩雑であった。特に、長時間の温度試験等では、測定中の振動等により密着部分がずれてしまい、その結果、測定誤差が発生し、測定をやり直さざるを得ない事態を引き起こす可能性もあった。
【０００５】
そこで、本発明は、上記従来の導波管接続治具等における問題点に鑑みてなされたものであって、導波管とＭＣＭ等の装置との接続を安定かつ確実なものとすることができ、測定系を構成する際の位置調整、又は測定中の位置確認等の煩雑さをなくし、測定品質、測定効率を向上させることなどが可能な導波管接続治具を提供することを目的とする。
【課題を解決するための手段】
【０００６】
上記目的を達成するため、本発明は、導波管と、フランジを備えない導波管接合部を有する装置とを接続するための導波管接続治具であって、前記装置を固定する固定部と、前記導波管と接合される接合部とを備え、前記固定部によって固定された前記装置の前記導波管接合部と、前記接合部に接合された前記導波管との間に、導波管構造を備えることを特徴とする。
【０００７】
そして、本発明にかかる導波管接続治具によれば、固定部によって固定された装置の導波管接合部と、本治具の接合部に接合された導波管との間に導波管構造を備えるため、装置の導波管接合部が本治具の接合部と接続された状態で固定され、従来のように導波管と導波管接合部との間に隙間が生じたり、両者が互いにずれるようなことがなく、導波管と導波管接合部の接続を安定かつ確実なものとすることができる。
【０００８】
また、本発明は、導波管と、フランジを備えない導波管接合部を有する装置とを接続するための導波管接続治具であって、前記装置を挟持して固定する上側固定部及び下側固定部と、該上側固定部を貫通する貫通孔に収容され、導波管の一端に設けられたフランジ部と接合されるフランジ部を有する上側ブロックと、前記上側固定部を貫通する前記貫通孔に収容され、前記上側ブロックの下方において、前記装置の前記導波管接合部と当接する下側ブロックとを備え、前記上側ブロック及び前記上側ブロックの内部を導波管構造としたことを特徴とする。
【０００９】
本発明によれば、上側ブロックとフランジ部を介して接合された導波管と、上側固定部及び下側固定部によって挟持、固定された装置の導波管接合部とが、上側ブロック及び下側ブロックによって導波管構造を介して接続された状態で固定されるため、従来のように導波管と導波管接合部との間に隙間が生じたり、両者が互いにずれるようなことがなく、導波管と導波管接合部の接続を安定かつ確実なものとすることができる。
【００１０】
前記導波管接続治具において、前記下側ブロックを前記装置の前記導波管接合部に付勢する付勢手段を備えるように構成することができる。これによって、下側ブロックを導波管接合部に確実に密着させることができる。
【００１１】
前記付勢手段は、前記下側ブロックに巻回されるとともに、一端が前記上側固定部に固定された圧縮コイルばねとすることができ、前記上側ブロックと前記下側ブロックとをビスを介して互いに締結することができる。また、前記装置を、ＭＣＭとすることができる。
【発明の効果】
【００１２】
以上のように、本発明によれば、導波管とＭＣＭ等の装置との接続を安定かつ確実とし、測定系を構成する際の位置調整、又は測定中の位置確認等の煩雑さをなくし、測定品質、測定効率を向上させることなどが可能な導波管接続治具を提供することができる。
【発明を実施するための最良の形態】
【００１３】
図１乃至図３は、本発明にかかる導波管接続治具の一実施の形態を示し、この導波管接続治具１は、例えば、ベンド導波管７と、フランジを備えない導波管接合部を有する装置の一例として、機能モジュールであるＭＣＭ３とを接続するために用いる。
【００１４】
この導波管接続治具１は、大別して、ＭＣＭ３を挟持して固定する上側固定部２及び下側固定部９と、上側固定部２を貫通する貫通孔２ａに収容され、ベンド導波管７の一端に設けられたフランジ部７ａと接合されるフランジ部１２ａを有する上側ブロック１２と、上側ブロック１２の下方において、ＭＣＭ３の導波管接合部３ａと当接する下側ブロック１３とで構成される。
【００１５】
ＭＣＭ３は、図２及び図３に示すように、フランジを備えない導波管接合部３ａを有し、上側固定部２と下側固定部９との間に挟持される。
【００１６】
上側固定部２は、ＭＣＭ３の上方に位置し、上下方向に貫通孔２ａが貫通する。この貫通孔２ａ内には、上側ブロック１２、下側ブロック１３等が収納される。
【００１７】
下側固定部９は、ＭＣＭ３の下方に位置し、凹部９ａにＭＣＭ３が載置される。この下側固定部９は、締結金具５によって上側固定部２と締結される。
【００１８】
上側ブロック１２は、導波管構造を備え、上側固定部２の貫通孔２ａに収納され、上部にベンド導波管７の下端のフランジ部７ａとビス１４を介して接合されるフランジ部１２ａを備える。
【００１９】
下側ブロック１３は、導波管構造を備え、上側固定部２の貫通孔２ａにおいて上側ブロック１２の下方に位置し、上側ブロック１２とビス１１で締結される。下側ブロック１３の上部小径部には、圧縮コイルばね１０が巻回され、圧縮コイルばね１０の上端部が上側固定部２に固定され、圧縮コイルばね１０によって下側ブロック１３がＭＣＭ３側に付勢される。
【００２０】
次に、上記構成を有する導波管接続治具１を用いてベンド導波管７をＭＣＭ３に接続する要領について説明する。
【００２１】
まず、下側固定部９の凹部９ａにＭＣＭ３を載置する。次に、上側固定部２の貫通孔２ａに、圧縮コイルばね１０の上端部を固定するとともに、貫通孔２ａに上側ブロック１２及び下側ブロック１３を収納し、両者をビス１１を介して締結する。この上側固定部２をＭＣＭ３の上方に載置し、締結金具５によって下側固定部とを締結する。最後に、上側ブロック１２のフランジ部１２ａとベンド導波管７のフランジ部７ａとをビス１４を介して接合し、ＭＣＭ３へのベンド導波管７の接続が完了する。
【００２２】
尚、上記実施の形態においては、本発明にかかる導波管接続治具を用いて機能モジュールであるＭＣＭと導波管とを接続する場合を例にとって説明したが、フランジを備えない導波管接合部を有する装置であれば、ＭＣＭ等の機能モジュール以外にも、本発明を適用することができる。
【図面の簡単な説明】
【００２３】
【図１】本発明にかかる導波管接続治具の一実施の形態を示す斜視図である。
【図２】図１のＡ−Ａ線断面図である。
【図３】図１の導波管接続治具の断面詳細図である。
【図４】従来の導波管接続治具の一例を示す斜視図である。
【図５】図４の導波管接続治具のＭＣＭ接合部近傍を示す拡大斜視図である。
【符号の説明】
【００２４】
１        導波管接続治具
２        上側固定部
２ａ      貫通孔
３        ＭＣＭ
３ａ      導波管接合部
５        締結金具
７        ベンド導波管
７ａ      フランジ部
９        下側固定部
９ａ      凹部
１０      圧縮コイルばね
１１      ビス
１２      上側ブロック
１２ａ    フランジ部
１３      下側ブロック
１４      ビス
【図１】
2006197427.tif 000003
【図２】
2006197427.tif 000004
【図３】
2006197427.tif 000005
【図４】
2006197427.tif 000006
【図５】
2006197427.tif 000007